(57)【要約】【課題】情報端末機器と通信する際に誘導加熱コイルの駆動に伴うノイズの影響を受けにくい炊飯器を得る。【解決手段】情報端末機器２００と通信可能な炊飯器１００であって、被加熱物を誘導加熱する加熱手段３０と、加熱手段３０を制御する制御手段２０と、情報端末機器２００と通信する通信手段９０と、を備え、制御手段２０は、加熱手段３０の駆動が停止している場合に通信手段９０と情報端末機器２００とが通信可能であるとき、情報端末機器２００から送信される設定情報を通信手段９０において受信するように通信手段９０を制御する。【選択図】図４
2016073567.tif 000002
【特許請求の範囲】
【請求項１】
情報端末機器と通信可能な炊飯器であって、
被加熱物を誘導加熱する加熱手段と、
前記加熱手段を制御する制御手段と、
前記情報端末機器と通信する通信手段と、を備え、
前記制御手段は、
前記加熱手段の駆動が停止している場合に前記通信手段と前記情報端末機器とが通信可能であるとき、前記情報端末機器から送信される設定情報を前記通信手段において受信するように前記通信手段を制御する
ことを特徴とする炊飯器。
【請求項２】
前記制御手段は、
前記加熱手段が駆動している場合に前記通信手段と前記情報端末機器とが通信可能であるとき、前記加熱手段の駆動を停止させる
ことを特徴とする請求項１に記載の炊飯器。
【請求項３】
前記制御手段は、
炊飯モード、予約炊飯モード、及び保温モードの何れかの調理モードを実行している場合に前記通信手段と前記情報端末機器とが通信可能であるとき、前記調理モードに代えて待機モードを実行する
ことを特徴とする請求項１に記載の炊飯器。
【請求項４】
報知手段をさらに備え、
前記制御手段は、
前記加熱手段が駆動している場合に前記通信手段と前記情報端末機器とが通信可能であるとき、前記情報端末機器から送信される設定情報を前記通信手段において受信不可である旨を前記報知手段に報知させる
ことを特徴とする請求項１〜請求項３の何れか一項に記載の炊飯器。
【請求項５】
報知手段と、入力手段と、をさらに備え、
前記制御手段は、
前記加熱手段が駆動している場合に前記通信手段と前記情報端末機器とが通信可能であるとき、前記加熱手段の駆動を停止させるか否かの操作を要求するように前記報知手段を制御し、前記加熱手段の駆動を停止させる操作が前記入力手段に入力されると、前記加熱手段の駆動を停止するように前記加熱手段を制御する
ことを特徴とする請求項１〜請求項３の何れか一項に記載の炊飯器。
【請求項６】
報知手段をさらに備え、
前記制御手段は、
前記通信手段において受信した設定情報を前記報知手段に報知させる
ことを特徴とする請求項１〜請求項３の何れか一項に記載の炊飯器。
【請求項７】
前記制御手段は、
前記報知手段の報知を基準時間行った後に炊飯動作を開始する
ことを特徴とする請求項６に記載の炊飯器。
【請求項８】
前記制御手段は、
前記報知手段の報知を行うと同時に炊飯動作を開始し、前記炊飯動作を開始してから基準時間経過後に前記報知手段の報知を終了する
ことを特徴とする請求項６又は請求項７に記載の炊飯器。
【請求項９】
前記情報端末機器は、表示部を備え、
前記表示部は、
前記設定情報のうち入力が必須な項目とそれ以外の項目とを識別表示する
ことを特徴とする請求項１〜請求項８の何れか一項に記載の炊飯器。
【請求項１０】
前記情報端末機器は、
該情報端末機器から送信される設定情報と、先行して該情報端末機器から送信された既定情報と、が相違するとき、前記設定情報を前記通信手段に送信する
ことを特徴とする請求項１〜請求項９の何れか一項に記載の炊飯器。
【請求項１１】
前記制御手段は、
前記情報端末機器から送信される設定情報と、先行して前記情報端末機器から送信された既定情報と、が相違するとき、前記設定情報に基づいて炊飯を実行し、
前記情報端末機器から送信される設定情報と、先行して前記情報端末機器から送信された既定情報と、が同一であるとき、前記既定情報に基づいて炊飯を実行する
ことを特徴とする請求項１〜請求項１０の何れか一項に記載の炊飯器。
【請求項１２】
前記制御手段は、
複数のマイコンを有し、前記複数のマイコン間で行われる通信と、前記通信手段及び前記情報端末機器間で行われる通信と、が重複しないように制御を行う
ことを特徴とする請求項１〜請求項１１の何れか一項に記載の炊飯器。
【請求項１３】
前記情報端末機器から送信される設定情報は現在時刻に関する時刻情報を含み、
前記制御手段は、
前記情報端末機器から送信される設定情報に含まれる現在時刻と、前記制御手段が有する現在時刻と、が相違するとき、前記時刻情報に基づいて現在時刻を更新する
ことを特徴とする請求項１〜請求項１２の何れか一項に記載の炊飯器。
【発明の詳細な説明】
【技術分野】
【０００１】
本発明は、炊飯器に関する。
【背景技術】
【０００２】
従来、情報端末機器と通信する通信手段と、被加熱物を誘導加熱する加熱手段と、を備えた電気炊飯器があった（特許文献１参照）。特許文献１に記載の電気炊飯器は、通信手段が情報端末機器において設定された設定情報を受信し、当該設定情報に基づいて加熱手段を制御し、炊飯を行う。
【先行技術文献】
【特許文献】
【０００３】
【特許文献１】特開２００６−２７１４６０号公報（［００５１］、図１）
【発明の概要】
【発明が解決しようとする課題】
【０００４】
しかしながら、特許文献１に記載の電気炊飯器においては、加熱手段が駆動されて発生する交番磁界が、情報端末機器と電気炊飯器との間で行われる通信に対しノイズとして影響を与え、当該通信の誤動作を引き起こす可能性があるという課題があった。
【０００５】
本発明は、上述のような課題を背景としてなされたものであり、情報端末機器と通信する際に誘導加熱コイルの駆動に伴うノイズの影響を受けにくい炊飯器を提供することを目的とする。
【課題を解決するための手段】
【０００６】
本発明の炊飯器は、情報端末機器と通信可能な炊飯器であって、被加熱物を誘導加熱する加熱手段と、前記加熱手段を制御する制御手段と、前記情報端末機器と通信する通信手段と、を備え、前記制御手段は、前記加熱手段の駆動が停止している場合に前記通信手段と前記情報端末機器とが通信可能であるとき、前記情報端末機器から送信される設定情報を前記通信手段において受信するように前記通信手段を制御するものである。
【発明の効果】
【０００７】
本発明の炊飯器は、加熱手段の駆動が停止している場合に前記通信手段と前記情報端末機器とが通信可能であるとき、情報端末機器から送信される設定情報を通信手段において受信する。このため、通信手段と情報端末機器との間で行われる通信が誘導加熱コイルの駆動に伴うノイズの影響を受ける可能性を低減できる。
【図面の簡単な説明】
【０００８】
【図１】本発明の実施の形態１に係る炊飯器１００の構成を示すブロック図である。
【図２】本発明の実施の形態１に係る炊飯器１００の表示手段５０の表示例を示す図である。
【図３】本発明の実施の形態１に係る炊飯器１００の表示手段５０の表示例を示す図である。
【図４】本発明の実施の形態１に係る炊飯器１００の動作を示すフローチャートである。
【図５】本発明の実施の形態２に係る炊飯器１００の動作を示すフローチャートである。
【図６】本発明の実施の形態３に係る炊飯器１００の動作を示すフローチャートである。
【図７】本発明の実施の形態４に係る炊飯器１００の動作を示すフローチャートである。
【図８】本発明の実施の形態９に係る炊飯器１００の動作を示すフローチャートである。
【図９】本発明の実施の形態１０に係る炊飯器１００の動作を示すフローチャートである。
【発明を実施するための形態】
【０００９】
以下、本発明の炊飯器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る炊飯器１００の構成を示すブロック図である。図２は本発明の実施の形態１に係る炊飯器１００の表示手段５０の表示例を示す図である。図３は本発明の実施の形態１に係る炊飯器１００の表示手段５０の表示例を示す図である。図４は本発明の実施の形態１に係る炊飯器１００の動作を示すフローチャートである。
【００１１】
図１に示されるように、炊飯器１００は、例えば誘導加熱式の炊飯器であり、温度検知手段１と、入力手段１０と、制御手段２０と、加熱手段３０と、報知手段４０と、表示手段５０と、通信手段９０と、を備える。炊飯器１００は、通信手段９０を介して情報端末機器２００と通信可能になっている。
【００１２】
温度検知手段１は、例えば炊飯器１００の被加熱物の温度を検知するものである。入力手段１０は、例えば、炊飯メニューを切り替えるボタン、米種や炊きあがりの硬さを設定するためのボタン等で構成されており、各種調理条件を設定するものである。ここで、調理条件とは例えば、米の銘柄に対応した炊飯パラメータ、調理時間、火力設定等である。
【００１３】
制御手段２０は、例えば、温度検知手段１の検知情報、入力手段１０の入力情報、通信手段９０が受信した情報等に基づいて、例えば、加熱手段３０、報知手段４０、表示手段５０等を制御する。なお、制御手段２０は、例えば、この機能を実現する回路デバイスなどのハードウェア、又はマイコン若しくはＣＰＵなどの演算装置上で実行されるソフトウェアで構成される。
【００１４】
加熱手段３０は、制御手段２０からの指示に基づいて被加熱物を加熱するものであり、例えば誘導加熱コイルで構成される。報知手段４０は、制御手段２０からの指示に基づいて使用者に所定の報知内容を報知するものである。報知手段４０は、例えば、光を点滅したり、ブザー音を出力するように構成されている。表示手段５０は、例えば、炊飯器１００の調理状態を表示するものである。表示手段５０は、例えばＬＥＤやＬＣＤで構成される。なお、報知手段４０及び表示手段５０が、本発明の「報知手段」に相当する。
【００１５】
通信手段９０は、情報端末機器２００から送信された情報を受信するものである。また、通信手段９０は、自身が有する情報を情報端末機器２００に送信するものである。通信手段９０は、例えば、情報端末機器２００から送信される設定情報を受信する機能、及び、情報端末機器２００に対して設定情報の送信を要求する機能を有する。
【００１６】
情報端末機器２００は、通信手段９０から送信された情報を受信するものである。また、情報端末機器２００は、自身が有する情報を通信手段９０に送信するものである。情報端末機器２００は、例えばスマートフォン等の携帯端末で構成される。情報端末機器２００は、例えば入力部（図示省略）及び表示部（図示省略）を有する。また、情報端末機器２００は、タグ（図示省略）を有する。情報端末機器２００は、上述のタグを介して自身の情報を通信手段９０に送信する。
【００１７】
炊飯器１００と情報端末機器２００との通信は、例えば無線によって行われる。この通信の通信方式としては例えば、ＮＦＣ（Ｎｅａｒ  Ｆｉｅｌｄ  Ｃｏｍｍｕｎｉｃａｔｉｏｎ）、すなわち近距離非接触通信が採用される。なお、炊飯器１００と情報端末機器２００との通信を行うための通信方式は上述の例に限定されるものではなく、種々の通信方法を採用することができる。他の通信方法としては例えば、無線ＬＡＮ、ＢＬＵＥＴＯＯＴＨ（登録商標）、ＩｒＤＡ（Ｉｎｆｒａｒｅｄ  Ｄａｔａ  Ａｓｓｏｃｉａｔｉｏｎ）、等が挙げられる。
【００１８】
以下に、炊飯器１００の入力手段１０の動作について説明する。
使用者は、入力手段１０を操作することで、例えば、待機モード（取消モード）を選択することができる。待機モードは、例えば、炊飯器１００の電源を入れた直後における状態を指している。
また、使用者は、入力手段１０を操作することで、例えば、炊飯モード、予約炊飯モード、及び保温モード等の調理モードを選択することができる。なお、待機モードを実行している場合、加熱手段３０は駆動しておらず、炊飯モード、予約炊飯モード、及び保温モードを実行している場合、加熱手段３０は駆動している。入力手段１０に入力された情報は、制御手段２０に送られる。
【００１９】
以下に、炊飯器１００の表示手段５０の表示例について説明する。
図２に示されるように、表示手段５０には、領域５０ａ，５０ｂ，５０ｃが設けられている。領域５０ａには、米の種類を示す「白米」が表示されている。領域５０ｂには、炊飯予定の米の炊きあがり時の硬さを示す「ふつう」が表示されている。領域５０ｃには、保温モードにおける保温方法を示す「たべごろ保温」が表示されている。図３に示されるように、表示手段５０には、領域５０ａ，５０ｂ，５０ｃ，５０ｄが設けられている。領域５０ｄには、炊飯完了時刻である「予約１  ８：００にできあがり」が表示されている。なお、領域５０ａに表示される例としては、「白米」の他に「無洗米」、「発芽米」、「分づき米」、「玄米」等である。また、領域５０ｂに表示される例としては、「ふつう」の他に「かため」、「やわらか」等である。
【００２０】
情報端末機器２００は、例えば、「白米」、「ふつう」、「たべごろ保温」、「予約１  ８：００にできあがり」のような設定情報を通信手段９０に送信する。なお、情報端末機器２００から送信される設定情報としては他に、炊飯予定の米の銘柄を示す情報、現在時刻を示す情報も挙げられる。
【００２１】
以下に、炊飯器１００の一般的な動作について説明する。
まず、炊飯器１００の電源がＯＮされると、炊飯器１００の炊飯条件は入力手段１０を介して設定可能となる。入力手段１０が操作されると、入力手段１０の操作情報は制御手段２０に入力される。制御手段２０は、入力手段１０に入力された操作情報に基づいて、例えば、加熱手段３０、報知手段４０、及び表示手段５０を制御する。
【００２２】
また、炊飯器１００の電源がＯＮされると、制御手段２０は、通信手段９０が受信した設定情報に基づいて、加熱手段３０、報知手段４０、表示手段５０等を制御することができる状態となる。なお、炊飯器１００と情報端末機器２００とが通信可能であるということは、例えば、炊飯器１００と情報端末機器２００とが所定距離近接したことを意味している。
【００２３】
以下に、炊飯器１００と情報端末機器２００との通信について説明する。
まず、炊飯器１００の電源がＯＮされ、通信手段９０と情報端末機器２００とが所定距離近接すると、情報端末機器２００から信号が発せられる。情報端末機器２００から発せられた信号は、通信手段９０に送信される。情報端末機器２００から発せられた信号は、通信手段９０を介して制御手段２０に入力される。また、入力手段１０が操作された情報は、制御手段２０に入力される。制御手段２０は、入力手段１０の操作情報又は情報端末機器２００で設定された設定情報に基づいて、調理条件を設定して炊飯を行う。
【００２４】
ここで、通信手段９０は、例えば、電力が供給されることで信号を発する機器で構成されている。この場合には例えば、通信手段９０と情報端末機器２００とが所定距離近接すると、情報端末機器２００から発せられる電波によって通信手段９０のＩＣタグに電力が供給されることとなる。そして、通信手段９０のＩＣタグに電力が供給されると、通信手段９０から信号が発せられることとなる。なお、情報端末機器２００も同様に、電力が供給されることで信号を発する機器で構成されていてもよい。
【００２５】
ここで、本実施の形態１において例示する誘導加熱式の炊飯器１００において、通信手段９０と情報端末機器２００との間で通信を行う場合を考える。このとき、通信手段９０と情報端末機器２００との間で通信を行うと、当該通信は誘導加熱コイルに流れる高周波数の電流によるノイズの影響を受ける可能性がある。このため、例えば、通信手段９０と情報端末機器２００との間で通信が正常に行われない（誤動作が生じる）ことが懸念される。そして、このようなノイズの影響は、誘導加熱コイルに流れる高周波数の電流の電流値が大きいほど、大きくなると考えられる。また、通信手段９０と情報端末機器２００との間で通信するデータの量が多い場合や、通信手段９０と情報端末機器２００との間で通信する時間が長くなる場合には、ご飯の炊き上がりが悪くなる等の不具合も懸念される。
【００２６】
したがって、炊飯モード、予約炊飯モード、及び保温モード等の加熱動作中においては、通信手段９０と情報端末機器２００との間で通信を行わないようにすることが望ましい。そこで、本実施の形態１においては、加熱手段３０の駆動が停止している場合に通信手段９０と情報端末機器２００とが通信可能であるとき、情報端末機器２００から送信される設定情報を通信手段９０において受信するように通信手段９０を制御する。
【００２７】
次に、図４のステップＳ１０１〜Ｓ１０３を参照しながら、本実施の形態１に係る炊飯器１００の制御動作について説明する。図４に示されるように、使用者が炊飯器１００の電源をＯＮすることで、ステップＳ１０１に移行する。ステップＳ１０１において、制御手段２０は、炊飯器１００と情報端末機器２００とが通信可能であるかどうか（所定距離だけ近接したかどうか）を判定する。
【００２８】
ステップＳ１０１において、制御手段２０は、炊飯器１００と情報端末機器２００とが通信可能であると判定した場合には（ステップＳ１０１においてＹＥＳ）、ステップＳ１０２に移行し、炊飯器１００が待機モードであるか否かを判定する。
一方、ステップＳ１０１において、制御手段２０は、炊飯器１００と情報端末機器２００とが通信可能でないと判定した場合には（ステップＳ１０１においてＮＯ）、ステップＳ１０１を繰り返す。
【００２９】
ステップＳ１０２において、制御手段２０は、炊飯器１００が待機モードであると判定した場合には（ステップＳ１０２においてＹＥＳ）、ステップＳ１０３に移行し、情報端末機器２００から送信される設定情報を通信手段９０に受信させ、図４の処理を終了する。
一方、ステップＳ１０２において、制御手段２０は、炊飯器１００が待機モードでないと判定した場合には（ステップＳ１０２においてＮＯ）、図４の処理を終了する。
【００３０】
以上のように、本実施の形態１に係る炊飯器１００は、加熱手段３０の駆動が停止している場合に通信手段９０と情報端末機器２００とが通信可能であるとき、情報端末機器２００から送信される設定情報を通信手段９０において受信する。このため、通信手段９０と情報端末機器２００との間で行われる通信が誘導加熱コイルの駆動に伴うノイズの影響を受ける可能性を低減できる。したがって、通信手段９０と情報端末機器２００との間で信頼性の高い通信を行うことができる。
【００３１】
実施の形態２．
本実施の形態２においては、炊飯モード、予約炊飯モード、及び保温モードの何れかの調理モードを実行している場合に通信手段９０と情報端末機器２００とが通信可能であるとき、前記調理モードに代えて待機モードを実行するものである。なお、本実施の形態２において、特に記述しない項目については実施の形態１と同様とし、同一の機能や構成については同一の符号を用いて述べることとする。
【００３２】
図５は本発明の実施の形態２に係る炊飯器１００の動作を示すフローチャートである。
図５のステップＳ２０１〜Ｓ２０４を参照しながら、本実施の形態２に係る炊飯器１００の制御動作について説明する。なお、ステップＳ２０１における処理は、ステップＳ１０１における処理と同一であるために説明を省略する。また、ステップＳ２０２における処理は、ステップＳ１０２における処理と同一であるために説明を省略する。また、ステップＳ２０３における処理は、ステップＳ１０３における処理と同一であるために説明を省略する。
【００３３】
ステップＳ２０２における判定がＮＯである場合には、ステップＳ２０４に移行する。ステップＳ２０４において、制御手段２０は、現在実行している調理モードに代えて待機モードに実行するように加熱手段３０を制御し、ステップＳ２０３に移行する。ここで、「現在実行している調理モードに代えて待機モードに実行するように加熱手段３０を制御」とは、例えば、加熱手段３０の駆動を停止する制御を指す。
【００３４】
以上のように、本実施の形態２に係る炊飯器１００は、炊飯モード、予約炊飯モード、及び保温モードの何れかの調理モードを実行している場合に通信手段９０と情報端末機器２００とが通信可能であるとき、前記調理モードに代えて待機モードを実行するものである。このため、加熱手段３０が駆動している場合であっても通信手段９０と情報端末機器２００との通信を優先して行うことができる。したがって、情報端末機器２００において設定された設定情報を速やかに炊飯器１００に送信することができる。
【００３５】
なお、以上の説明においては、加熱手段３０が駆動している調理モードとして、炊飯モード、予約炊飯モード、及び保温モードを例示したが、これに限定されるものではなく、加熱手段３０が駆動する調理モードであれば他のモードでもよい。
【００３６】
また、以上の説明においては、制御手段２０は、加熱手段３０が駆動している場合に通信手段９０と情報端末機器２００とが通信可能であるとき、加熱手段３０の加熱出力を停止させる例について説明したが、これに限定されない。例えば、加熱手段３０の加熱出力を停止させる前提として、情報端末機器２００において通信手段９０との通信を許可する旨の設定がされていることを条件として課してもよい。
【００３７】
このようにすれば、通信手段９０と情報端末機器２００とが通信可能となるために必要となる距離が大きい場合であっても、加熱手段３０の加熱出力を停止させる頻度が必要以上に高くなる可能性を低減できる。したがって、使用者が意図しないで加熱手段３０の加熱出力を停止させることによる被加熱物の調理完了時刻の遅延を抑制することができる。
【００３８】
実施の形態３．
本実施の形態３においては、炊飯モード、予約炊飯モード、及び保温モードの何れかの調理モードを実行している場合に通信手段９０と情報端末機器２００とが通信可能であるとき、通信手段９０と情報端末機器２００との通信を許可しないようにするものである。なお、本実施の形態３において、特に記述しない項目については実施の形態１と同様とし、同一の機能や構成については同一の符号を用いて述べることとする。
【００３９】
図６は本発明の実施の形態３に係る炊飯器１００の動作を示すフローチャートである。
図６のステップＳ３０１〜Ｓ３０９を参照しながら、本実施の形態３に係る炊飯器１００の制御動作について説明する。なお、ステップＳ３０１における処理は、ステップＳ１０１における処理と同一であるために説明を省略する。また、ステップＳ３０２における処理は、ステップＳ１０２における処理と同一であるために説明を省略する。また、ステップＳ３０３における処理は、ステップＳ１０３における処理と同一であるために説明を省略する。
【００４０】
ステップＳ３０２における判定がＮＯである場合には、ステップＳ３０４に移行する。ステップＳ３０４において、制御手段２０は、炊飯器１００が炊飯モードを実行中であるか否かを判定する。
【００４１】
ステップＳ３０４において、制御手段２０は、炊飯器１００が炊飯モードを実行中であると判定した場合には（ステップＳ３０４においてＹＥＳ）、ステップＳ３０８に移行する。
一方、ステップＳ３０４において、制御手段２０は、炊飯器１００が炊飯モードを実行中でないと判定した場合には（ステップＳ３０４においてＮＯ）、ステップＳ３０５に移行し、炊飯器１００が予約炊飯モードを実行中であるか否かを判定する。
【００４２】
ステップＳ３０５において、制御手段２０は、炊飯器１００が予約炊飯モードを実行中であると判定した場合には（ステップＳ３０５においてＹＥＳ）、ステップＳ３０８に移行する。
一方、ステップＳ３０５において、制御手段２０は、炊飯器１００が予約炊飯モードを実行中でないと判定した場合には（ステップＳ３０５においてＮＯ）、ステップＳ３０６に移行し、炊飯器１００が保温モードを実行中であるか否かを判定する。
【００４３】
ステップＳ３０６において、制御手段２０は、炊飯器１００が保温モードを実行中であると判定した場合には（ステップＳ３０６においてＹＥＳ）、ステップＳ３０８に移行する。
一方、ステップＳ３０６において、制御手段２０は、炊飯器１００が保温モードを実行中でないと判定した場合には（ステップＳ３０６においてＮＯ）、ステップＳ３０７に移行する。
【００４４】
ステップＳ３０７において、制御手段２０は、待機モードに移行し、ステップＳ３０３に移行する。ステップＳ３０８において、制御手段２０は、報知手段４０を制御し、ステップＳ３０９に移行し、現在設定されている調理モードを継続し、図６の処理を終了する。なお、ステップＳ３０８においては、報知手段４０は、例えば待機モード以外のモードが実行されているために待機モードに移行不可である旨を示す内容を報知する。
【００４５】
具体的には例えば、ステップＳ３０４における判定がＹＥＳでありステップＳ３０８に移行した場合には、報知手段４０は、炊飯モードを実行中であるため、待機モードに移行不可であることを示す内容を報知する。
また、具体的には例えば、ステップＳ３０５における判定がＹＥＳでありステップＳ３０８に移行した場合には、報知手段４０は、予約炊飯モードを実行中であるため、待機モードに移行不可であることを示す内容を報知する。
また、具体的には例えば、ステップＳ３０６における判定がＹＥＳでありステップＳ３０８に移行した場合には、報知手段４０は、保温モードを実行中であるため、待機モードに移行不可であることを示す内容を報知する。
【００４６】
以上のように、本実施の形態３に係る炊飯器１００は、炊飯モード、予約炊飯モード、及び保温モードの何れかの調理モードを実行している場合に通信手段９０と情報端末機器２００とが通信可能であるとき、実行している調理モードを継続する。すなわち、途中で加熱手段３０の駆動を停止すると炊飯が完了出来ない等の不具合を生じる調理モードでは通信を不可として、調理モードを継続して炊飯動作を完了させる。このため、実行中の調理モードを中断して炊飯が未完了のまま待機モードに移行することがなくなり、被加熱物の加熱が未完了のまま動作モードが終了するという不具合が発生する可能性を低減できる。したがって、使い勝手を損なう可能性を低減できる。
【００４７】
なお、本実施の形態３においては、炊飯モード、予約炊飯モード、保温モードの順に判定を行う例について説明したが、これに限定されるものではない。すなわち、ステップＳ３０４、Ｓ３０５、及びＳ３０６の判定順序を適宜入れ替えてもよい。
【００４８】
実施の形態４．
本実施の形態４において、炊飯モード、予約炊飯モード、及び保温モードの何れかの調理モードを行っている場合に通信手段９０と情報端末機器２００とが通信可能であるとき、待機モードに移行するか否かを使用者に選択させるようにしたものである。なお、本実施の形態４において、特に記述しない項目については実施の形態１と同様とし、同一の機能や構成については同一の符号を用いて述べることとする。
【００４９】
図７は本発明の実施の形態４に係る炊飯器１００の動作を示すフローチャートである。
図７のステップＳ４０１〜Ｓ４０６を参照しながら、本実施の形態４に係る炊飯器１００の制御動作について説明する。なお、ステップＳ４０１における処理は、ステップＳ１０１における処理と同一であるために説明を省略する。また、ステップＳ４０２における処理は、ステップＳ１０２における処理と同一であるために説明を省略する。また、ステップＳ４０３における処理は、ステップＳ１０３における処理と同一であるために説明を省略する。
【００５０】
ステップＳ４０２における判定がＮＯの場合には、ステップＳ４０４に移行する。ステップＳ４０４において、制御手段２０は、待機モードに移行してよいか否か要求する旨を表示手段５０に表示させる。また、ステップＳ４０４において、制御手段２０は、待機モードに移行する操作入力が入力手段１０に入力されたか否かを判定する。
【００５１】
ステップＳ４０４において、制御手段２０は、待機モードに移行する操作入力が入力手段１０に入力されたと判定した場合には（ステップＳ４０４においてＹＥＳ）、ステップＳ４０５に移行する。
一方、ステップＳ４０４において、制御手段２０は、待機モードに移行する操作入力が入力手段１０に入力されなかったと判定した場合には（ステップＳ４０４においてＮＯ）、ステップＳ４０６に移行する。
【００５２】
ステップＳ４０５において、制御手段２０は、実行中の調理モードから待機モードに移行させ、ステップＳ４０３に移行する。ステップＳ４０６において、制御手段２０は、現在実行しているモードを維持し、図７の処理を終了する。
【００５３】
以上のように、本実施の形態４に係る炊飯器１００は、炊飯モード、予約炊飯モード、及び保温モードの何れかの調理モードを実行している場合に通信手段９０と情報端末機器２００とが通信可能であるとき、加熱手段３０の駆動を停止させるか否かの操作を要求するように報知手段４０を制御し、加熱手段３０の駆動を停止させる操作が入力手段１０に入力されると、加熱手段３０の駆動を停止するように加熱手段３０を制御する。このため、使用者は、炊飯モード、予約炊飯モード、及び保温モードの何れかの調理モードを実行している場合において、通信手段９０と情報端末機器２００との間で通信を行うためには、加熱手段３０の駆動を停止させる必要があることを認識することができる。また、使用者は、待機モード以外の動作モード（例えば、炊飯モード）を優先するのか、炊飯器１００と情報端末機器２００との通信を優先するのか、を選択することができ、使用者の意思を反映することができる。すなわち、使用者の意思に反して不本意にモードが切り替わってしまうことがなくなる。
【００５４】
実施の形態５．
本実施の形態５においては、情報端末機器２００が通信手段９０に対して送信した設定情報を表示手段５０に表示する。なお、本実施の形態５において、特に記述しない項目については実施の形態１と同様とし、同一の機能や構成については同一の符号を用いて述べることとする。
【００５５】
本実施の形態５においては、加熱手段３０の駆動が停止している場合に通信手段９０と情報端末機器２００とが通信可能であるとき、情報端末機器２００から送信される設定情報を通信手段９０において受信する。そして、制御手段２０は、通信手段９０において受信した設定情報を表示手段５０に表示させる。これにより、表示手段５０には、通信手段９０において受信した設定情報が表示される。
【００５６】
以上のように、本実施の形態５に係る炊飯器１００は、制御手段２０が、通信手段９０において受信した設定情報を表示手段５０に表示させる。このため、使用者は設定情報の内容を容易に確認することができる。したがって、使用者が意図しない炊飯が誤って実行される可能性を低減できる。
【００５７】
実施の形態６．
本実施の形態６においては、情報端末機器２００が通信手段９０に設定情報を送信して表示手段５０が基準時間だけ表示を行った後、自動的に炊飯動作を開始するものである。なお、本実施の形態６において、特に記述しない項目については実施の形態１と同様とし、同一の機能や構成については同一の符号を用いて述べることとする。
【００５８】
本実施の形態６においては、加熱手段３０の駆動が停止している場合に通信手段９０と情報端末機器２００とが通信可能であるとき、情報端末機器２００から送信される設定情報を通信手段９０において受信する。そして、制御手段２０は、通信手段９０において受信した設定情報を表示手段５０に表示させる。表示手段５０は、通信手段９０において受信した設定情報を基準時間だけ表示する。表示手段５０が、通信手段９０において受信した設定情報を基準時間だけ表示した後、制御手段２０は、通信手段９０において受信した設定情報を加味した加熱手段３０を制御する。これにより、通信手段９０において受信した設定情報を加味した炊飯動作が開始される。
【００５９】
以上のように、本実施の形態６に係る炊飯器１００は、制御手段２０が、表示手段５０の表示を基準時間行った後に炊飯動作を開始する。このため、使用者は設定情報の内容を容易に確認することができる。したがって、使用者が意図しない炊飯が誤って実行される可能性を低減できる。また、炊飯開始前に設定内容が確認でき、且つ自動的に炊飯動作を開始し、炊飯中は通常の表示がされているので、使い勝手が良い。
【００６０】
実施の形態７．
本実施の形態７においては、情報端末機器２００が通信手段９０に設定情報を送信して表示手段５０が所定時間だけ表示を行うと同時に炊飯動作を自動的に開始するものである。なお、本実施の形態７において、特に記述しない項目については実施の形態１と同様とし、同一の機能や構成については同一の符号を用いて述べることとする。
【００６１】
本実施の形態７においては、加熱手段３０の駆動が停止している場合に通信手段９０と情報端末機器２００とが通信可能であるとき、情報端末機器２００から送信される設定情報を通信手段９０において受信する。そして、制御手段２０は、通信手段９０において受信した設定情報を表示手段５０に表示させ、同時に、通信手段９０において受信した設定情報に基づいて加熱手段３０を制御する。これにより、表示手段５０は、通信手段９０において受信した設定情報を所定時間だけ表示し、通信手段９０において受信した設定情報を加味した炊飯動作が開始される。なお、制御手段２０が、通信手段９０において受信した設定情報を表示手段５０に表示させるタイミングと、制御手段２０が、通信手段９０において受信した設定情報に基づいて加熱手段３０を制御するタイミングとは、完全に同一のタイミングであることに限定されるものではない。
【００６２】
以上のように、本実施の形態７に係る炊飯器１００は、制御手段２０が、表示手段５０の表示を行うと同時に炊飯動作を開始し、前記炊飯動作を開始してから基準時間経過後に表示手段５０の表示を終了する。このため、自動的に炊飯動作が開始され、表示手段５０を参照して設定内容を確認することができる。したがって、使用者は、炊飯動作が開始されてから表示手段５０の表示が行われるまでの時間的な遅れを感じることがなく、小気味良い。また、炊飯動作中においては、表示手段５０には通常の表示がされているので、使い勝手が良い。
【００６３】
実施の形態８．
本実施の形態８においては、情報端末機器２００の表示部に表示する炊飯に関する設定内容のうち複数の内容を識別表示するものである。なお、本実施の形態８において、特に記述しない項目については実施の形態１と同様とし、同一の機能や構成については同一の符号を用いて述べることとする。
【００６４】
本実施の形態８においては、情報端末機器２００の表示部に表示される項目のうち、入力が必須な項目とそれ以外の項目とを識別表示するものである。具体的には例えば、情報端末機器２００の表示部に表示される項目のうち、入力が必須な項目とそれ以外の項目とを異なる色で表示するものである。なお、設定情報の重要度に応じて３色以上を用いて表示してもよい。また、設定情報の重要度の高い項目である程、使用者の注意を引く色を使用してもよい。また、設定情報の重要度に応じて表示部に占める領域の割合を変えて表示してもよい。
【００６５】
以上のように、本実施の形態８に係る炊飯器１００は、情報端末機器２００の表示部に表示される項目のうち、入力が必須な項目とそれ以外の項目とを識別表示するものである。このため、情報端末機器２００の表示部に表示される入力情報の重要度を視覚的に認識することができる。また、情報端末機器２００の表示部に表示される入力必須項目が明確に認識することができるため、入力必須項目への入力し忘れ等を防止することができ、使い勝手が良くなる。
【００６６】
実施の形態９．
本実施の形態９においては、情報端末機器２００が、炊飯に関する設定内容に変更があった（更新があった）場合にのみ、通信手段９０に対して設定情報を送信するものである。なお、本実施の形態９において、特に記述しない項目については実施の形態１と同様とし、同一の機能や構成については同一の符号を用いて述べることとする。
【００６７】
図８は本発明の実施の形態９に係る炊飯器１００の動作を示すフローチャートである。図８のステップＳ５０１〜Ｓ５０４を参照しながら、本実施の形態９に係る炊飯器１００の制御動作について説明する。なお、ステップＳ５０１における処理は、ステップＳ１０１における処理と同一であるために省略する。また、ステップＳ５０２における処理は、ステップＳ１０２における処理と同一であるために省略する。また、ステップＳ５０３における処理は、ステップＳ１０３における処理と同一であるために省略する。
【００６８】
ステップＳ５０２における判定がＹＥＳの場合には、ステップＳ５０３に移行する。ステップＳ５０３において、情報端末機器２００は、情報端末機器２００に入力された設定情報と、先行して情報端末機器２００から通信手段９０に送信された設定情報と、を比較して、変更があるか否かを判定する。
【００６９】
ステップＳ５０３において、情報端末機器２００は、情報端末機器２００に入力された設定情報と、先行して情報端末機器２００から通信手段９０に送信された設定情報と、を比較して、変更があると判定した場合には（ステップＳ５０３においてＹＥＳ）、ステップＳ５０４に移行する。
一方、ステップＳ５０３において、情報端末機器２００は、情報端末機器２００に入力された設定情報と、先行して情報端末機器２００から通信手段９０に送信された設定情報と、を比較して、変更がないと判定した場合には（ステップＳ５０３においてＮＯ）、図８の処理を終了する。
【００７０】
以上のように、本実施の形態９に係る炊飯器１００は、情報端末機器２００に入力された設定情報と、先行して情報端末機器２００から通信手段９０に送信された設定情報と、が相違するときのみ、情報端末機器２００に入力された設定情報を通信手段９０に送信する。このため、通信手段９０が過去の設定情報と同一の設定情報を受信する可能性を低減できる。すなわち、不要な通信が発生する可能性を低減できる。また、加熱手段３０がノイズ等により誤ったデータが伝送され、誤設定となる可能性を低減できる。
【００７１】
実施の形態１０．
本実施の形態１０においては、通信手段９０が情報端末機器２００から受信した設定情報の内容に応じて設定情報の更新の有無を決定するものである。なお、本実施の形態１０において、特に記述しない項目については実施の形態１と同様とし、同一の機能や構成については同一の符号を用いて述べることとする。
【００７２】
図９は本発明の実施の形態１０に係る炊飯器１００の動作を示すフローチャートである。図９のステップＳ６０１〜Ｓ６０６を参照しながら、本実施の形態１０に係る炊飯器１００の制御動作について説明する。なお、ステップＳ６０１における処理は、ステップＳ１０１における処理と同一であり、ステップＳ６０２における処理は、ステップＳ１０２における処理と同一であり、ステップＳ６０３における処理は、ステップＳ１０３における処理と同一であるため、説明を省略する。
【００７３】
ステップＳ６０４において、制御手段２０は、通信手段９０が情報端末機器２００から受信した設定情報と、先行して通信手段９０が情報端末機器２００から受信した設定情報（既定情報）と、を比較して変更が有るか否かを判定する。また、ステップＳ６０２における判定がＮＯの場合には、図９の処理を終了する。
【００７４】
ステップＳ６０４において、制御手段２０は、通信手段９０が情報端末機器２００から受信した設定情報と、先行して通信手段９０が情報端末機器２００から受信した設定情報（既定情報）と、を比較して変更有りと判定した場合には（ステップＳ６０４においてＹＥＳ）、ステップＳ６０５に移行する。
一方、ステップＳ６０４において、制御手段２０は、通信手段９０が情報端末機器２００から受信した設定情報と、先行して通信手段９０が情報端末機器２００から受信した設定情報（既定情報）と、を比較して変更無しと判定した場合には（ステップＳ６０４においてＮＯ）、ステップＳ６０６に移行する。
【００７５】
ステップＳ６０５において、制御手段２０は、自身の内部で記憶している設定情報を更新し、図９の処理を終了する。ステップＳ６０６において、制御手段２０は、自身の内部で記憶している設定情報を更新しないで、図９の処理を終了する。
【００７６】
以上のように、本実施の形態１０に係る炊飯器１００は、制御手段２０は、情報端末機器２００から送信される設定情報と、先行して情報端末機器２００から送信された既定情報と、が相違するとき、自身に記憶されている設定情報を更新し、設定情報に基づいて炊飯を実行し、情報端末機器２００から送信される設定情報と、先行して情報端末機器２００から送信された既定情報と、が同一であるとき、既定情報に基づいて炊飯を実行する。このため、制御手段２０は、不要な設定変更（設定更新）を行うことがなくなるので、処理時間の短縮化、ノイズ等による誤設定を抑制することができる。
【００７７】
実施の形態１１．
本実施の形態１１においては、制御手段２０が有する複数のマイコン間の通信と、通信手段９０と情報端末機器２００との通信と、が重複しないようにしたものである。なお、本実施の形態１１において、特に記述しない項目については実施の形態１と同様とし、同一の機能や構成については同一の符号を用いて述べることとする。
【００７８】
本実施の形態１１においては、制御手段２０が複数のマイコン（図示省略）を有し、複数のマイコンは相互に通信可能となるように構成されている。また、本実施の形態１１においては、制御手段２０が通信の優先順位を規定する情報を有している。具体的には例えば、制御手段２０は、複数のマイコン間の通信と、通信手段９０と情報端末機器２００との通信と、の優先順位を規定する情報を有している。なお、この優先順位は、予め決定されていてもよいし、使用者によって決定されていてもよい。
【００７９】
加熱手段３０の駆動が停止している場合に通信手段９０と情報端末機器２００とが通信可能であるとき、制御手段２０は、複数のマイコン間の通信と、通信手段９０と情報端末機器２００との通信と、が重複しないような制御を行う。
【００８０】
例えば、通信手段９０と情報端末機器２００との通信が制御手段２０が有する複数のマイコン間の通信よりも優先される場合を考える。このとき、制御手段２０が有する複数のマイコン間の通信が行われている場合に、通信手段９０と情報端末機器２００との通信が可能であるとき、制御手段２０は、制御手段２０が有する複数のマイコン間の通信を停止し、通信手段９０と情報端末機器２００との通信を行う。
【００８１】
また例えば、制御手段２０が有する複数のマイコン間の通信が通信手段９０と情報端末機器２００との通信よりも優先される場合を考える。このとき、通信手段９０と情報端末機器２００との通信が行われている場合に、制御手段２０が有する複数のマイコン間の通信を行う必要があるとき、制御手段２０は、通信手段９０と情報端末機器２００との通信を停止し、制御手段２０が有する複数のマイコン間の通信を行う。
【００８２】
以上のように、本実施の形態１１に係る炊飯器１００は、制御手段２０が、複数のマイコン間の通信と、情報端末機器２００と炊飯器１００と、の通信のうち何れを優先させるのかを判定する。このため、通信手段９０と情報端末機器２００との間で行われる通信（例えば非接触の近距離）が近傍回路パターンに誘導現象を生じさせるような場合であっても、一方のマイコン間での通信に関する不具合が発生する可能性が低くなる。また、マイコンの処理についても、何れか一方の処理に特化することが出来るので、複雑な処理を行う必要が無くなり、処理の負荷を軽減することができる。また、ソフトウェアの容量を低減することもできる。
【００８３】
なお、本実施の形態１１は、複数のマイコン間の通信と、通信手段９０と情報端末機器２００との通信と、の優先順位を規定する例に限定されるものではなく、制御手段２０が有する複数のマイコン間の通信と、通信手段９０と情報端末機器２００との通信と、が重複しないようにすればよい。
【００８４】
例えば、制御手段２０は、加熱手段３０の駆動が停止している場合に通信手段９０と情報端末機器２００とが通信可能であるとき、複数のマイコン相互間の通信が行われているか否かを判定してもよい。
【００８５】
このとき、制御手段２０は、複数のマイコン相互間の通信が行われていると判定した場合には、複数のマイコン相互間の通信が終了するまで、通信手段９０と情報端末機器２００との通信を行わせないように通信手段９０を制御する。
【００８６】
一方、制御手段２０は、複数のマイコン相互間の通信が行われていないと判定した場合には、通信手段９０と情報端末機器２００との通信を行う。
【００８７】
実施の形態１２．
本実施の形態１２においては、制御手段２０は、通信手段９０が情報端末機器２００から受信した時刻情報に基づいて現在時刻の更新の有無を決定するものである。なお、本実施の形態１２において、特に記述しない項目については実施の形態１と同様とし、同一の機能や構成については同一の符号を用いて述べることとする。
【００８８】
本実施の形態１２においては、炊飯器１００に内蔵されている時計の現在時刻設定を修正するものである。また、本実施の形態１２においては、情報端末機器２００から送信される設定情報が、現在時刻に関する時刻情報を含んでいる。加熱手段３０の駆動が停止している場合に通信手段９０と情報端末機器２００とが通信可能であるとき、情報端末機器２００から送信される設定情報を通信手段９０において受信する。そして、制御手段２０は、情報端末機器２００から送信される設定情報に含まれる現在時刻と、自身が記憶している現在時刻と、を比較して一致しているか否かを判定する。
【００８９】
制御手段２０は、情報端末機器２００から送信される時刻情報と、自身が記憶している時刻情報と、を比較して相違すると判定した場合には、制御手段２０は、情報端末機器２００から送信された時刻情報に基づいて、自身の内部で記憶している現在時刻を更新する。
【００９０】
以上のように、本実施の形態１２に係る炊飯器１００は、制御手段２０が、情報端末機器２００から送信される設定情報に含まれる現在時刻と、自身が記憶している現在時刻と、が相違するとき、時刻情報に基づいて現在時刻を更新する。このため、通信手段９０と情報端末機器２００とが通信を行う毎に炊飯器１００の現在時刻を修正することができ、現在時刻を手動で修正する操作を要しない。したがって、信頼性及び利便性の高い炊飯器１００を得ることができる。
【符号の説明】
【００９１】
１  温度検知手段、１０  入力手段、２０  制御手段、３０  加熱手段、４０  報知手段、５０  表示手段、５０ａ，５０ｂ，５０ｃ，５０ｄ  領域、９０  通信手段、１００  炊飯器、２００  情報端末機器。
【図１】
2016073567.tif 000003
【図２】
2016073567.tif 000004
【図３】
2016073567.tif 000005
【図４】
2016073567.tif 000006
【図５】
2016073567.tif 000007
【図６】
2016073567.tif 000008
【図７】
2016073567.tif 000009
【図８】
2016073567.tif 000010
【図９】
2016073567.tif 000011